(57)【要約】【課題】未送信のデータが誤って毀損されることが防止される。【解決手段】計測部は操作に応じて指示された時点から経過した時間である計測時間を計測し、通信部は操作に応じて前記計測時間を示す計測データを他機器に送信し、記憶部は前記通信部が前記計測データを送信したか否かを示す送信結果データと前記計測データとを対応付けて記憶し、表示部は前記送信結果データが前記計測データを送信していないことを示す場合、当該計測データを送信していないことを示す未送信表示を行う。【選択図】図３
2014025842.tif 000002
【特許請求の範囲】
【請求項１】
操作に応じて指示された時点から経過した時間である計測時間を計測する計測部と、
操作に応じて前記計測時間を示す計測データを他機器に送信する通信部と、
前記通信部が前記計測データを送信したか否かを示す送信結果データと前記計測データとを対応付けて記憶する記憶部と、
前記送信結果データが前記計測データを送信していないことを示す場合、当該計測データを送信していないことを示す未送信表示を行う表示部と
を備える電子時計。
【請求項２】
前記送信結果データが前記計測データを送信したことを示す場合、操作に応じて当該計測データを消去し、前記送信結果データが計測データを送信していないことを示す場合、当該計測データを消去しない処理部、を備える請求項１に記載の電子時計。
【請求項３】
前記表示部は、当該計測データを表示する態様とは異なる態様で前記未送信表示を行うことを特徴とする請求項１又は２に記載の電子時計。
【請求項４】
電子時計におけるデータ処理方法であって、
前記電子時計は、計測時間を示す計測データを、前記計測データを送信したか否かを示す送信結果データと対応付けて記憶する記憶部を備え、
前記電子時計は、操作に応じて指示された時点から経過した時間である計測時間を計測する第１の過程と、
前記電子時計は、操作に応じて前記計測時間を示す計測データを他機器に送信する第２の過程と、
前記電子時計は、前記送信結果データが前記計測データを送信していないことを示す場合、当該計測データを送信していないことを示す未送信表示を行う第３の過程と、
を有することを特徴とするデータ処理方法。
【発明の詳細な説明】
【技術分野】
【０００１】
本発明は、電子時計およびデータ処理方法に関する。
【背景技術】
【０００２】
電子時計、とりわけ使用者の身体に装着する腕時計では、小型であるために計測したデータの記憶容量が限られている。そこで、従来の電子時計ではデータの情報量が、記憶容量を超える前に他の機器、例えばサーバ装置にアップデートしてデータを保管することがある。
例えば、特許文献１に記載の装置アセンブリは、コンピュータに差し込んだことに応答して、当該装置アセンブリに記憶されたデータをアップロードする。
【先行技術文献】
【特許文献】
【０００３】
【特許文献１】特表２０１１−５０１８３１号公報
【発明の概要】
【発明が解決しようとする課題】
【０００４】
しかしながら、特許文献１の装置アセンブリは記憶されたデータを一括してアップロードするため、既にアップロードされたデータまで再度アップロードされる。反面、冗長ビット等の、データを復元するための手段を備えることは、ハードウェア規模の制約を鑑みると現実的ではない。そのため、アップロードを行わずにデータの情報量が記憶容量を超えてデータが破損した場合や、誤ってデータを消去した場合にはデータを復元することができない。
【０００５】
本発明は上記の点に鑑みてなされたものであり、未送信のデータが誤って毀損されることを防止する電子時計及びデータ処理方法を提供することを目的とする。
【課題を解決するための手段】
【０００６】
（１）本発明は上記の課題を解決するためになされたものであり、本発明の一態様は、操作に応じて指示された時点から経過した時間である計測時間を計測する計測部と、操作に応じて前記計測時間を示す計測データを他機器に送信する通信部と、前記通信部が前記計測データを送信したか否かを示す送信結果データと前記計測データとを対応付けて記憶する記憶部と、前記送信結果データが前記計測データを送信していないことを示す場合、当該計測データを送信していないことを示す未送信表示を行う表示部とを備える電子時計である。
【０００７】
（２）本発明のその他の態様は、上述の電子時計であって、前記送信結果データが前記計測データを送信したことを示す場合、操作に応じて当該計測データを消去し、前記送信結果データが計測データを送信していないことを示す場合、当該計測データを消去しない処理部、を備える。
【０００８】
（３）本発明のその他の態様は、上述の電子時計であって、前記表示部は、当該計測データを表示する態様とは異なる態様で前記未送信表示を行うことを特徴とする。
【０００９】
（４）本発明のその他の態様は、電子時計におけるデータ処理方法であって、前記電子時計は、計測時間を示す計測データを、前記計測データを送信したか否かを示す送信結果データと対応付けて記憶する記憶部を備え、前記電子時計は、操作に応じて指示された時点から経過した時間である計測時間を計測する第１の過程と、前記電子時計は、操作に応じて前記計測時間を示す計測データを他機器に送信する第２の過程と、前記電子時計は、前記送信結果データが前記計測データを送信していないことを示す場合、当該計測データを送信していないことを示す未送信表示を行う第３の過程と、を有することを特徴とするデータ処理方法である。
【発明の効果】
【００１０】
本発明によれば、未送信のデータが誤って消去されることが防止される。
【図面の簡単な説明】
【００１１】
【図１】本発明の実施形態における計測データ処理システムを示す概念図である。
【図２】本実施形態における電子時計の外観構成を示す正面図である。
【図３】本実施形態における電子時計の内部構成を示すブロック図である。
【図４】本実施形態における電子時計の動作モードの遷移の一例を示す図である。
【図５】本実施形態における計測データの例を示す概略図である。
【図６】本実施形態における未送信表示の例を示す図である。
【図７】本実施形態におけるその他の表示の例を示す図である。
【図８】本実施形態におけるデータ処理を示すフローチャートである。
【発明を実施するための形態】
【００１２】
以下、図面を参照しながら本発明の実施形態について説明する。各図において同一部分には同一符号を付している。
図１は、本実施形態における計測データ処理システム１を示す概念図である。
計測データ処理システム１は、電子時計１０と、ネットワーク２０と、サーバ装置３０とを含んで構成される。
【００１３】
電子時計１０は、クロノグラフ（ストップウォッチ）機能を備え、計測開始に係る操作入力を受け付けた時点からの計測時間を計測して表示する。例えば、電子時計１０は、指定された計測途中の時刻からの計測時間（所定地点間の走行時間）であるラップタイムや計測開始からの全計測時間（出発点からの走行時間）であるスプリットタイムを測定する。電子時計１０は、クロノグラフ専用機、クロノグラフ機能を備えた現時刻を計測・表示する腕時計、のいずれであってもよい。電子時計１０は、計測した計測時間を示す計測データを、ネットワーク２０を通じてサーバ装置３０に送信する。計測データは、スプリットタイムおよびラップタイムを含む１回の計測、つまり計測開始から計測停止までの間において得られたデータである。電子時計１０の詳細な構成については後述する。
ネットワーク２０は、電子時計１０が送信した計測データをサーバ装置３０に送信するネットワークである。ネットワーク２０は、移動端末装置同士でデータを送受信する無線通信ネットワークに限られず、電子時計１０とサーバ装置３０との間でデータを送受信できれば、いかなるネットワーク、例えば、インターネットであってもよい。
【００１４】
サーバ装置３０は、電子時計１０から受信した計測データを用いてアプリケーションプログラムを動作させるコンピュータである。サーバ装置３０は、サーバ専用コンピュータに限られず、ネットワークと接続してデータを送受信でき、電子時計１０から受信した計測データを記憶することができれば、いかなるコンピュータ、例えばパーソナルコンピュータでもよい。サーバ装置３０は、アプリケーションプログラムを動作させることによって計測データを用いたサービスを提供する。図１に示すように、サーバ装置３０は、通信部３０１と、記憶部３０２と、アプリケーション実行部３０３とを含んで構成される。
【００１５】
通信部３０１は、電子時計１０から計測データを受信し、受信した計測データを記憶部３０２に記憶する。通信部３０１は、計測データの受信に成功した場合、受信に成功したことを示す受信確認信号（ＡＣＫ）を電子時計１０に送信する。また、通信部３０１は、その他の通信機器、例えば携帯端末装置との間でデータを送受信する。また、通信部３０１は、アプリケーション実行部３０３から入力されたデータをその他の通信機器に送信する。
【００１６】
記憶部３０２は、電子時計１０から受信した計測データを記憶する。
アプリケーション実行部３０３は、予め記憶されているアプリケーションプログラムを実行する。例えば、アプリケーション実行部３０３は、携帯端末装置から受信した操作入力に応じて、指定された計測データを記憶部３０２から読み出し、読み出した計測データが示すスプリットタイムおよびラップタイムの推移を示すグラフを表す画像を生成し、生成した画像を携帯端末装置に通信部３０１を介して送信する。また、アプリケーション実行部３０３は、アプリケーションプログラムの実行により、使用者による操作入力に応じて計測データを要求することを示すデータ要求信号を生成し、生成したデータ要求信号を通信部３０１に出力し、電子時計１０に送信してもよい。
【００１７】
図２は、本実施形態における電子時計１０の外観構成を示す正面図である。
図示するように、電子時計１０は、複数（本実施形態では４つ）のボタンＡ〜Ｄと、表示部１０５とを含んで構成される。ボタンＡ〜Ｄは、操作入力を受け付ける操作入力部１０２である。各ボタンＡ〜Ｄの機能については後述する。表示部１０５は、計測した計測時間（スプリットタイム、ラップタイム）や、現在時刻等を表示する。
【００１８】
図３は、本実施形態における電子時計１０の内部構成を示すブロック図である。
図示する例では、電子時計１０は、処理部１０１、操作入力部１０２、記憶部１０３、発振部１０４、表示部１０５、発光部１０６、通信部１０７、及び電源部１０８を含んで構成される。
【００１９】
処理部１０１は、例えば、ＣＰＵ（Ｃｅｎｔｒａｌ  Ｐｒｏｃｅｓｓｉｎｇ  Ｕｎｉｔ）であり、電子時計１０の機能を実現する処理を行う。例えば、処理部１０１は、操作入力部１０２のボタンＡ〜Ｄが受け付けた操作入力に応じた指示に基づいて、各ボタンＡ〜Ｄに対応する機能を実現する。また、処理部１０１は、発振部１０４から入力された計測信号に基づいて現在時刻や計測時間を計測する計測部（図示せず）を備える。処理部１０１が行う処理については後述する。
操作入力部１０２は、ボタンＡ〜Ｄを備え、操作入力を受け付ける。そして、操作入力部１０２は、各ボタンＡ〜Ｄが受け付けた操作入力に応じた指示（信号）を処理部１０１に出力する。
【００２０】
記憶部１０３は、処理部１０１が計測した計測時間を示す計測データを記憶する。
発振部１０４は、例えば、水晶発振子を備え、所定の周波数（例えば、３２７６８Hz）の発振信号を生成し、生成した発振信号を分周（例えば、１００Ｈｚ）して計測の基準となる計測信号を生成する。そして、発振部１０４は、生成した計測信号を処理部１０１に出力する。
表示部１０５は、例えば、液晶ディスプレイ（ＬＣＤ（Ｌｉｑｕｉｄ  Ｃｒｙｓｔａｌ  Ｄｉｓｐｌａｙ））であり、処理部１０１が計測した現在時刻や計測時間を表示する。
発光部１０６は、例えば、表示部１０５の裏面に設置されたバックライトであり、処理部１０１から表示部１０５を発光させることを示す発光指示信号が入力されたとき発光し、表示部１０５に表示された文字、記号、図形等を暗所で視認可能にする。
【００２１】
通信部１０７は、例えば、無線通信インタフェースを備え、他の装置とデータを送信又は受信する。例えば、通信部１０７は、処理部１０１から入力された計測データを無線周波数信号に変換して電波としてネットワーク２０を介してサーバ装置３０に送信する。また、通信部１０７は、操作入力部１０２において計測データの送信を指示する操作入力を受け付けた場合、計測データを記憶部１０３から読み出し、読み出した計測データをサーバ装置３０に送信する。通信部１０７は、その後、次の処理を行う。
（１）通信部１０７は、計測データを送信してから予め定めた時間（例えば、９０秒）内にサーバ装置３０から受信確認信号を受信した場合、計測データの送信が完了したと判断する。
（２）通信部１０７は、計測データを送信してから予め定めた時間（例えば、９０秒）内にサーバ装置３０から受信確認信号を受信しなかった場合、計測データの送信が未完了と判断する。通信部１０７は、その計測データをサーバ装置３０に再送する。その後、（１）を繰り返す。（１）の繰り返し回数が予め定めた回数（例えば、３回）を越えた場合には、計測データの送信が失敗したと判断する。
【００２２】
通信部１０７は、計測データの送信が完了したと判断したとき、その計測データが送信されたこと（送信済）を示す送信結果データを生成し、生成した送信結果データを処理部１０１に出力する。これにより、記憶部１０３において送信結果データが更新される。
これに対して、通信部１０７は、計測データの送信が失敗したと判断したときには、送信結果データの生成、出力を行わない。但し、記憶部１０３には、生成された計測データを記憶する際に、送信結果データの初期値（デフォルト値）として、計測データが送信されていないこと（未送信）を示すデータを予め設定しておく。
なお、上述のように操作入力を受け付けた場合に限らず、サーバ装置３０からデータ要求信号を受信した場合にも、通信部１０７は、計測データを記憶部１０３から読み出し、読み出した計測データをサーバ装置３０に送信するようにしてもよい。
【００２３】
電源部１０８は、例えば、電池であり、電子時計１０が備える構成、例えば処理部１０１〜通信部１０７等が動作するための電力を供給する。
【００２４】
図４は、本実施形態における電子時計１０の動作モードの遷移の一例を示す図である。図示するように、電子時計１０は、時刻表示モード４１と、クロノグラフ計測モード４２と、データ表示モード４３との３つの動作モードを有する。電子時計１０は、動作モードを切り替える指示を受け付けるボタンＢが押下されると、時刻表示モード４１、クロノグラフ計測モード４２、データ表示モード４３の順に動作モードを順次切り替える。
【００２５】
時刻表示モード４１は、現在の時刻（現在時刻）を計測して表示する動作モードである。但し、処理部１０１が備える計測部（図示せず）は、動作モードに関わらず発振部１０４から入力される計測信号の振幅のピークを計数して（パルスカウント）現在時刻を計測する。
電子時計１０は、起動時に時刻表示モード４１で動作する。即ち、処理部１０１は計測部が計測した現在時刻を表示部１０５に表示させる。処理部１０１は、時刻表示モード４１において、ボタンＡが押下される毎に、現在時刻を修正可能な状態と、修正不可能な状態とを順次切り替える。なお、ボタンＡが押下されてから修正不可能な状態に切り替える直前に、処理部１０１は修正した現在時刻を計測部に設定する。これによって修正した現在時刻が確定する。
また、処理部１０１は、時刻表示モード４１において、ボタンＢが押下されると、動作モードをクロノグラフ計測モード４２に遷移させる。また、処理部１０１は、時刻表示モード４１において、現在時刻を修正可能な状態のときにボタンＣの押下が予め定めた時間（例えば、１秒）よりも継続される（長押）と、現在の時刻を順次変更する。
【００２６】
クロノグラフ計測モード４２は、計測時間を計測して記録する動作モードである。処理部１０１は、クロノグラフ計測モード４２において、ボタンＢが押下されると、動作モードをデータ表示モード４３に遷移させる。また、処理部１０１は、クロノグラフ計測モード４２において、ボタンＣが押下されるごとに、計測時間（スプリットタイム）の計測開始と停止とを計測部に順次実行させる。処理部１０１は計測部が計測している計測時間を表示部１０５に表示させる。処理部１０１は、計測停止後、計測部が計測した計測時間（スプリットタイム、ラップタイム）を記憶部１０３に書き込んで記憶する。また、処理部１０１は、クロノグラフ計測モード４２において、計測時間の計測中にボタンＤが押下された場合、計測部が計測した前回のラップ時刻からの計測時間（ラップタイム）と計測開始からの計測時間（スプリットタイム）とを記憶部１０３に記憶して、ラップタイムをゼロに更新する（ラップタイムの記録）。また、処理部１０１は、クロノグラフ計測モード４２において、計測部が計測時間の計測を停止した後にボタンＤが押下された場合、計測時間（スプリットタイム、ラップタイム）をそれぞれゼロに更新する（リセット）。
【００２７】
これにより、計測データとして１回の計測毎にスプリットタイムとラップタイムが記憶部１０３に記憶される。ラップタイムは、計測開始後、ラップ操作の回数、つまりボタンＤが押下された回数に１を加えた個数だけ記憶される。また、処理部１０１は、ラップ操作時に、ラップタイムと対応付けて、その時点におけるスプリットタイムを記憶部１０３に記憶してもよい。処理部１０１は、１回の計測毎に送信結果データ（初期値）を生成し、スプリットタイム及びラップタイムを対応付けて記憶部１０３に記憶する。また、記憶部１０３では、１回の計測毎に送信結果データ、スプリットタイム及びラップタイムを対応付けて記憶するファイルが構成されるようにしてもよい。計測データの例については、後述する。
【００２８】
データ表示モード４３は、記憶部１０３に記憶された計測時間のうち、指示された計測時間を表示部１０５に表示する動作モードである。処理部１０１は、データ表示モード４３において、ボタンＡが押下されると、前回のラップタイムを記憶部１０３から読み出し、読み出したラップタイムを表示部１０５に表示する。記憶部１０３に前回のラップタイムが存在しない場合は、前回計測時の最後のラップタイムを読み出し、読み出したラップタイムを表示部１０５に表示させる。その最後のラップタイムも存在しない場合は表示を変更しない。ここで、前回および次回とは、現在表示されているラップタイム（今回）を基準とする。
【００２９】
処理部１０１は、その後、予め定めた時間（例えば、１０秒）内にさらにボタンＡが押下されると、読み出したラップタイムに係る送信結果データを読み出す。読み出した送信結果データが送信済を示す場合、処理部１０１は、記憶部１０３から予め記憶された消去要否問合データを読み出す。消去要否問合データとは、使用者に対して計測データを消去するか否かの指示を促すことを示すデータである。処理部１０１は、読み出した消去要否問合データに基づいて表示部１０５に消去要否問合表示を行わせる。消去要否問合表示の一例については、後述する。
処理部１０１は、消去要否問合表示を表示部１０５に行わせた後、予め定めた時間（例えば、１０秒）内にさらにボタンＡが押下されると、記憶部１０３に記憶された計測データのうち、読み出したラップタイムに係る回の計測データを消去する。その後、処理部１０１は、予め記憶された消去完了表示データを記憶部１０３から読み出す。消去完了表示データとは、使用者に対して計測データの消去が完了したことを示すデータである。処理部１０１は、読み出した消去完了表示データに基づいて表示部１０５に消去完了表示を行わせる。消去完了表示の一例については、後述する。
【００３０】
他方、読み出した送信結果が未送信を示す場合、記憶部１０３から予め記憶された未送信表示データを読み出す。未送信表示データとは、使用者に対して計測データが未送信であることを示すデータである。処理部１０１は、読み出した未送信表示データに基づいて表示部１０５に未送信表示を行わせる。未送信表示の一例については、後述する。
処理部１０１は、未送信表示を表示部１０５に行わせた後、予め定めた時間（例えば、１０秒）内にさらにボタンＡが押下されると、記憶部１０３から予め記憶された送信要否問合データを読み出す。送信要否問合データとは、使用者に対して計測データを送信するか否かの指示を促すことを示すデータである。処理部１０１は、読み出した送信要否問合データに基づき表示部１０５に送信要否問合表示を行わせる。送信要否問合表示の一例については、後述する。
【００３１】
処理部１０１は、未送信表示を表示部１０５に行わせた後、予め定めた時間（例えば、１０秒）内にさらにボタンＡが押下されると、読み出したラップタイムに係る回の計測データを読み出し、読み出した計測データを通信部１０７に出力する。これにより、通信部１０７は、サーバ装置３０に処理部１０１から入力された計測データを送信する。
処理部１０１は、通信部１０７から送信した計測データについて、送信済を示す送信結果データが入力された場合には、入力された送信結果データを読み出した計測データに対応付けて記憶部１０３に記憶する。これにより、記憶部１０３に記憶された送信結果データが更新される。
上述のようにボタンＡが繰り返し押下された場合における一連のデータ処理の例については、後述する。
【００３２】
処理部１０１は、データ表示モード４３において、ボタンＢが押下されると、動作モードを時刻表示モード４１に遷移させる。また、処理部１０１は、時刻表示モード４１において、ボタンＣが押下されると、次回のラップタイムを記憶部１０３から読み出し、読み出したラップタイムを表示部１０５に表示させる。記憶部１０３に、次回のラップタイムが存在しない場合は、次回計測時の最初のラップタイムを読み出し、読み出したラップタイムを表示する。その最初のラップタイムも存在しない場合は表示を変更しない。
また、処理部１０１は、データ表示モード４３において、ボタンＤが押下されると、次回の計測データ（クロノグラフデータ）の最初のラップタイムと最後のスプリットタイムとを記憶部１０３から読み出し、読み出したラップタイムとスプリットタイムとを表示部１０５に表示させる。
なお、ボタンＢ−Ｄがそれぞれ繰り返し押下された場合も、読み出されるラップタイム等や計測データは異なる他、処理部１０１は、ボタンＡが繰り返し押下された場合と同様な処理を行うようにしてもよい。
【００３３】
次に、記憶部１０３に記憶された計測データの例について説明する。
図５は、本実施形態における計測データの例を示す概略図である。
図５に示す例では、計測データは、ファイル番号と、送信済又は未送信を示す送信結果データと、ラップ番号と、スプリットタイムと、ラップタイムとの各項目を有する。ファイル番号は、計測開始から計測停止までの各回の計測を識別する番号であって、計測データを記録するファイルを示す番号である。送信結果データは、このファイル番号に係る計測データが送信済であるか否かを示す情報である。送信結果データの値が「１」である場合に送信済であることを示し、送信結果データの値が「０」である場合に未送信であることを示す。送信結果データのデフォルト値は、「０」（未送信）である。ラップ番号は、１回の計測において計測されたラップタイムを識別する番号で、計測された順序を示す番号である。
【００３４】
図５に示す例では、ファイル番号「１」に係る計測データは送信済である。また、ファイル番号「１」の計測データにおいて、ラップ番号「１」に対応するスプリットタイムは１時間でありラップタイムは１時間である。また、ファイル番号「１」の計測データにおいて、ラップ番号「２」に対応するスプリットタイムは２時間でありラップタイムは１時間である。また、ファイル番号「１」の計測データにおいて、ラップ番号「３」に対応するスプリットタイムは３時間でありラップタイムは１時間である。また、ファイル番号「１」の計測データにおいて、ラップ番号「４」に対応するスプリットタイムは４時間でありラップタイムは１時間である。このラップ番号「４」に対応するラップタイムが、当該計測データにおいて最後に計測されたラップタイムである。
【００３５】
次に、未送信表示の例について説明する。
図６は、本実施形態における未送信表示の例を示す図である。
図６（ａ）に示す例では、最上行に、スプリットタイムを示す文字列「ＳＰＬＩＴ」と計測したスプリットタイム「０４’５７’’１１」が表示されている。最上行から２行目に、ラップタイムを示す文字列「ＬＡＰ」と計測したスプリットタイム「０１’３０’’２９」が表示されている。最下行の右側に、表示されているスプリットタイム、ラップタイムに係る計測データが未送信であることを示す文字列「ＮＯ  ＵＰＬＤ」が表示されている。
【００３６】
図６（ｂ）に示す例では、最上行及び最上行から２行目に表示されている文字列、計測時間については、図６（ａ）に示す例と同様である。図６（ｂ）に示されるギザギザの図形は、発光部１０６が予め定めた時間間隔（例えば、０．５〜２秒間隔）で点滅していることを示す。つまり、処理部１０１は、記憶部１０３から読み出した未送信表示データに基づく未送信表示を行う代わりに、電源部１０８に対して、その時間間隔で電力の供給の断続を行わせることを示す。
これらを視認した使用者は表示されているスプリットタイム及びラップタイムに係る計測データが未送信であることを認識し、この計測データを誤って消去することが回避される。
【００３７】
次に、本実施形態におけるその他の表示の例について説明する。
図７は、本実施形態におけるその他の表示の例を示す図である。
図７（ａ）は、計測時間表示の一例を示す。表示内容は、図６の最上行及び第２行における表示と同様である。この計測時間表示は、クロノグラフ計測モード４２からデータ表示モード４３に遷移された直後の時点においても表示部１０５に表示される。
図７（ｂ）は、未送信表示のその他の例を示す。図７（ｂ）に示される文字列「ＮＯＴ    ＵＰＬＯＡＤＥＤ」は、計測データが未送信であることを示す文字列である。
図７（ｃ）は、消去要否問合表示の一例を示す。図７（ｃ）に示される文字列「ＣＬＥＡＲ  ＤＡＴＡ？」は、データを消去するか否かを問い合わせることを示す文字列である。
図７（ｄ）は、消去完了表示の一例を示す。図７（ｄ）に示される文字列「ＣＬＥＡＲ」は、データを消去したことを示す文字列である。
図７（ｅ）は、送信要否問合表示の一例を示す。図７（ｅ）に示される文字列「ＵＰＬＯＡＤ  ＤＡＴＡ？」は、データを送信するか否かを問い合わせることを示す文字列である。
なお、計測時間表示、未送信表示、消去要否問合表示、消去完了表示、送信要否問合表示は、それぞれ上述の例に限られず、簡潔であって、それぞれの趣旨が使用者に明確に理解されるものであればよい。
【００３８】
次に、本実施形態におけるデータ処理の例について説明する。
以下では、データ表示モード４３において、ボタンＡが繰り返し押下された場合を例にとって説明する。
【００３９】
図８は、本実施形態におけるデータ処理を示すフローチャートである。
（ステップＳ１０１）処理部１０１は、ボタンＡが押下されると、前回のラップタイムを記憶部１０３から読み出し、読み出したラップタイムを表示部１０５に表示する。その後、ステップＳ１０２に進む。
（ステップＳ１０２）処理部１０１は、予め定めた時間（例えば、１０秒）内に、さらにボタンＡが押下（操作入力）されたか否かを判定する。押下されたと判定された場合には（ステップＳ１０２  ＹＥＳ）、ステップＳ１０３に進む。押下されなかったと判定された場合には（ステップＳ１０２  ＮＯ）、ステップＳ１０１に戻る。
（ステップＳ１０３）処理部１０１は、予め定めた時間（例えば、１０秒）内に、さらにボタンＡが押下（操作入力）された否かを判定する。押下されたと判定された場合には（ステップＳ１０３  ＹＥＳ）、ステップＳ１０８に進む。押下されなかったと判定された場合には（ステップＳ１０３  ＮＯ）、ステップＳ１０４に進む。
【００４０】
（ステップＳ１０４）処理部１０１は、読み出したラップタイムに係る送信結果データを読み出し、読み出した送信結果が送信済を示す場合、記憶部１０３から予め記憶された消去要否問合データを読み出す。処理部１０１は、読み出した消去要否問合データに基づいて表示部に消去要否問合表示を行わせる。その後、ステップＳ１０５に進む。
（ステップＳ１０５）処理部１０１は、予め定めた時間（例えば、１０秒）内に、さらにボタンＡが押下（操作入力）されたか否かを判定する。押下されたと判定された場合には（ステップＳ１０５  ＹＥＳ）、ステップＳ１０６に進む。押下されなかったと判定された場合には（ステップＳ１０５  ＮＯ）、処理を終了する。
【００４１】
（ステップＳ１０６）処理部１０１は、記憶部１０３に記憶されている計測データのうち、読み出したラップタイムに係る回の計測データを消去する。その後、ステップＳ１０７に進む。
（ステップＳ１０７）処理部１０１は、予め記憶された消去完了表示データを記憶部１０３から読み出し、読み出した消去完了表示データに基づいて表示部１０５に消去完了表示を行わせる。その後、処理を終了する。
【００４２】
（ステップＳ１０８）処理部１０１は、記憶部１０３から予め記憶された未送信表示データを読み出し、読み出した未送信表示データに基づいて表示部１０５に未送信表示を行わせる。その後、ステップＳ１０９に進む。
（ステップＳ１０９）処理部１０１は、予め定めた時間（例えば、１０秒）内に、さらにボタンＡが押下（操作入力）されたか否かを判定する。押下されたと判定された場合には（ステップＳ１０９  ＹＥＳ）、ステップＳ１１０に進む。押下されなかったと判定された場合には（ステップＳ１０９  ＮＯ）、処理を終了する。
（ステップＳ１１０）処理部１０１は、記憶部１０３から予め記憶された送信要否問合データを読み出し、読み出した送信要否問合データに基づき表示部１０５に送信要否問合表示を行わせる。その後、ステップＳ１１１に進む。
【００４３】
（ステップＳ１１１）処理部１０１は、予め定めた時間（例えば、１０秒）内に、さらにボタンＡが押下（操作入力）されたか否かを判定する。押下されたと判定された場合には（ステップＳ１１１  ＹＥＳ）、ステップＳ１１２に進む。押下されなかったと判定された場合には（ステップＳ１１１  ＮＯ）、処理を終了する。
（ステップＳ１１２）読み出したラップタイムに係る回の計測データを読み出し、読み出した計測データを通信部１０７に出力する。これにより、出力した計測データがサーバ装置３０に送信される。その後、ステップＳ１１３に進む。
（ステップＳ１１３）処理部１０１は、通信部１０７から送信済を示す送信結果データが入力された場合には、入力された送信結果データを読み出した計測データに対応付けて記憶部１０３に記憶する。その後、処理を終了する。
【００４４】
なお、本実施形態では、ボタンＡが繰り返し押下された場合に限られず  ボタンＢ−Ｄがそれぞれ繰り返し押下された場合も、読み出されるラップタイム等や計測データは異なるが、図８に示すデータ処理を行うようにしてもよい。
【００４５】
なお、上述では、操作入力が繰り返されたとき、各回の計測によって取得された計測データについて処理部１０１が消去や送信の要否を判定する場合を例にとって説明したが、本実施形態ではこれには限られない。本実施形態では、処理部１０１が記憶部１０３に記憶された計測データの全てを一括して消去の要否の対象、又は送信の要否の対象としてもよい。但し、処理部１０１は、記憶部１０３に記憶された計測データのうち、送信済を示す送信結果データに対応する計測データのみを消去し、未送信を示す送信結果データに対応する計測データを消去せずに維持してもよい。また、処理部１０１は、未送信を示す送信結果データに対応する計測データのみを送信し、記憶部１０３に記憶された計測データのうち、送信済を示す送信結果データに対応する計測データを消去しなくてもよい。
【００４６】
このように、本実施形態によれば、操作に応じて指示された時点から経過した時間である計測時間を計測し、操作に応じて計測時間を示す計測データを他機器に送信する。また、本実施形態では、計測データを送信したか否かを示す送信結果データと計測データとを対応付けて記憶する記憶部を備え、送信結果データが計測データを送信していないことを示す場合、計測データを送信していないことを示す未送信表示を行う。
また、本実施形態では、送信結果データが計測データを送信したことを示す場合、操作に応じて計測データを消去し、送信結果データが計測データを送信していないことを示す場合、当該計測データを消去しない。
これにより、計測データが未送信である場合にその旨が表示され、その計測データは消去の対象にならない。従って、未送信のデータが誤って消去されることが防止される。
【００４７】
なお、上述した実施形態における電子時計１０の一部、例えば、処理部１０１をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、電子時計１０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における電子時計１０の一部、または全部を、ＬＳＩ（Ｌａｒｇｅ  Ｓｃａｌｅ  Ｉｎｔｅｇｒａｔｉｏｎ）等の集積回路として実現しても良い。電子時計１０の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００４８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００４９】
１…計測データ処理システム、
１０…電子時計、
１０１…処理部、１０２…操作入力部、１０３…記憶部、１０４…発振部、
１０５…表示部、１０６…発光部、１０７…通信部、１０８…電源部、
２０…ネットワーク、
３０…サーバ装置、
３０１…通信部、３０２…記憶部、３０３…アプリケーション実行部
【図１】
2014025842.tif 000003
【図２】
2014025842.tif 000004
【図３】
2014025842.tif 000005
【図４】
2014025842.tif 000006
【図５】
2014025842.tif 000007
【図６】
2014025842.tif 000008
【図７】
2014025842.tif 000009
【図８】
2014025842.tif 000010